(57)【要約】【課題】袋体に装入された耐熱性菌を担持した培養材に、有機質廃棄物の被処理材を装入して混合して耐熱性性菌が活性化している方法、及び、装置によって発酵効率を高め、有機質廃棄物を発酵分解して肥料化することが出来、なおかつその一部の培養材を種菌とし、糠と有機質廃棄物を装入して発酵分解された糠が新たな培養材となり、これを繰り返すことにより連続処理できる簡単な有機質廃棄物の処理装置と有機質廃棄物の処理方法を提供する。【解決手段】穀物起源の粉体に耐熱性菌等を担持した培養材９で、被処理材１０を最適な温度と湿度を維持して連続的に発酵分解する処理方法と、収納容器４の中に、袋体保持部材３を差し込んだ袋体１ａを収納し、袋体１ａの装入排出口１ｂを折り曲げて閉じ、収納容器４の蓋４ａも閉じて、軸４ｆを中心として収納容器４と、中に収納されている袋体１ａとが回転手段とすることを特徴とする有機廃棄物の処理装置。【選択図】　　　　　図１
2004141847.tif 000002
【特許請求の範囲】
【請求項１】
通気性及び柔軟性を有する材料で袋状に形成され、培養材及び有機質廃棄物の被処理材を収納する袋体と、この袋体が変形しないように保持する袋体保持部材と、上記袋体及び上記袋体保持部材を収納する収納容器と、上記培養材と上記有機質廃棄物の被処理材とが充分混合するように上記収納容器を回転させる回転手段とを備えたことを特徴とする有機質廃棄物の処理装置。
【請求項２】
上記収納容器は、内部に上記袋体及び上記袋体保持部材を収納したとき、上記袋体内に収納された上記培養材及び上記有機質廃棄物の被処理材が上記袋体外に漏れ出さないように、上記袋体の装入排出口を閉鎖する閉鎖手段を備えたことを特徴とする請求項１に記載の有機質廃棄物の処理装置。
【請求項３】
上記袋体に上記培養材及び上記有機質廃棄物の被処理材を収納する装入排出口を設け、この装入排出口を閉じて上記袋体を上記収納容器に収納したときに、上記収納容器に設けられた蓋により上記袋体の装入排出口が上記袋体保持部材の上側両端部に押し当てられて密封されるように構成したことを特徴とする請求項１または２のいずれか一項に記載の有機質廃棄物の処理装置。
【請求項４】
上記袋体や上記収納容器の内面または内外面に炭を混入したペンキを塗り、消臭機能を持たせたことを特徴とする請求項１〜３のいずれか１項に記載の有機質廃棄物の処理装置。
【請求項５】
上記培養材は、穀物起源の実、果皮、種皮、内胚乳、外胚乳などを粉状にした粉体に耐熱性菌等の細菌を主に担持したものであることを特徴とする請求項１〜４のいずれか一項に記載の有機質廃棄物の処理装置。
【請求項６】
上記袋体に初期装入した上記培養材に穀物起源の実、果皮、種皮、内胚乳、外胚乳などを粉状にした粉体と有機質廃棄物の被処理材を繰り返して入れる事により、上記粉体に耐熱性菌等の細菌を主に担持した新たな培養材を繰り返して作ることが出来ることを特徴とする有機質廃棄物の処理方法。
【請求項７】
通気性及び柔軟性を有して微生物に分解され難い有機質または無機質の材質で作られた紙で袋状の形成するか、または織布で袋状の形成するか、または不織布で袋状に形成して培養材及び有機質廃棄物の被処理材を収納する第二袋体を備えたことを特徴とする有機質廃棄物の処理装置。
【請求項８】
上記第二袋体の中に、通気性及び柔軟性を有して微生物に分解され難い有機質または無機質の材質で作られた紙で袋状に形成するか、または織布で袋状に形成するか、または不織布で袋状に形成して上記培養材及び上記被処理材を収納する中袋を備えたことを特徴とする請求項７に記載の有機質廃棄物の処理装置。
【請求項９】
上記第二袋体が変形しないように保持する第二袋体保持部材を備えたことを特徴とする請求項７または８に記載の有機質廃棄物の処理装置。
【請求項１０】
上記培養材と上記被処理材を上記第二袋体の中で保温しながら粉砕する保温粉砕手段を備えたことを特徴とする請求項７〜９のいずれか一項に記載の有機質廃棄物の処理装置。
【請求項１１】
上記第二袋体に上記培養材及び上記被処理材を装入排出する装入排出口を設け、この装入排出口またはこの装入排出口と上記第二袋体の側面を空気及び水蒸気は通すが水をはじく材料で覆いをする第二袋体カバーを備えたことを特徴とする請求項７〜１０のいずれか一項に記載の有機質廃棄物の処理装置。
【請求項１２】
上記第二袋体または上記第二袋体と上記第二袋体保持部材を収納する第二収納容器を設け、この第二収納容器は貫通孔で通気性を有して微生物に分解され難い有機質または無機質の材質で形成され、複数の貫通孔を備えたことを特徴とする請求項７〜１１のいずれか一項に記載の有機質廃棄物の処理装置。
【請求項１３】
上記第二収納容器に上記第二袋体を保温または、加熱する保温加熱手段を備えたことを特徴とする請求項７〜１２のいずれか一項に記載の有機質廃棄物の処理装置。
【請求項１４】
上記第二袋体に上記培養材と上記被処理材を装入し、上記第二袋体を変形させる手段または上記第二袋体を上下逆転させる攪拌手段とを備え、上記第二袋体を変形させた時または上記第二袋体を上下逆転させた時、上記培養材と上記被処理材が攪拌されるようにした処理容器を有することを特徴とする請求項７〜１３のいずれか一項に記載の有機質廃棄物の処理装置。
【請求項１５】
上記第二袋体と、上記第二袋体を収納する上記第二収納容器と、上記第二収納容器に上記第二袋体を出し入れする袋体装入排出口と、上記袋体装入排出口に蓋を設け、上記培養材と上記被処理材とが充分攪拌するように上記第二収納容器を回転させる回転手段とを備えたことを特徴とする請求項７〜１４のいずれか一項に記載の有機質廃棄物の処理装置。
【請求項１６】
上記第二収納容器が逆回転しないように逆回転防止手段を備えたことを特徴とする請求項７〜１５のいずれ一項に記載の有機質廃棄物の処理装置。
【発明の詳細な説明】
【０００１】
【発明の属する技術分野】
本発明は、有機質廃棄物、例えば生ごみ等を、微生物によって水と炭酸ガスに発酵分解して肥料にする事が出来る有機質廃棄物の処理装置と、有機質廃棄物の処理方法に関するものである。
【０００２】
【従来の技術】
従来の有機質廃棄物の処理を行う場合、好気性菌を主に活性化する高温発酵によって有機質廃棄物を分解したり、嫌気性菌を主に活性化する低温発酵よって有機質廃棄物を分解する等の処理装置及び処理方法があった。
【０００３】
好気性菌を主に活性化する高温発酵により有機質廃棄物を分解する処理装置及び処理方法は、好気性菌を担持した培養材に湿り気を与え、好気性菌が活性化する温度を維持し、混合することによって常に好気性菌が空気に触れる状態を作ることである。
【０００４】
一方、嫌気性菌を主に活性化する低温発酵により有機質廃棄物を分解する処理装置及び処理方法は、嫌気性菌を担持した培養材に湿り気を与え、嫌気性菌が活性化する温度を維持し、混合した後は培養材と有機質廃棄物に空気を供給しない状態を作ることである。
【０００５】
【発明が解決しようとする課題】
従来の有機質廃棄物の処理方法として、例えば特開平８−１３３８８０号公報に示される生ごみ処理装置がある。この生ごみ処理装置は、袋体からなる処理容器に生ごみを微生物と共に収容して一定期間経過させ堆肥等を生成する物であるが、袋体はビニール袋などの通気性のないものを使用しており、嫌気性菌を主にした発酵を利用した生ごみの処理を想定しているため、外袋体と内袋体の重ね合わせが必要であったり、発酵温度が上がらないためカイロを使用をしたり、生ごみを袋の中に収容して一定期間経過させなければならないと言う２次処理が必要であるなどの問題点がある。袋体を重ね合わせると素材が多く必要でもあり、加工の手間も多くなるし、発酵温度を上げるためのカイロを使うと費用も高価になり、２次処理が必要であると時間が掛かるため、保管場所の確保も必要となるなどの課題が発生する。
【０００６】
また、従来の他の有機質廃棄物の処理装置及び処理方法として、好気性菌を主に活性化するものがある。この処理装置及び処理方法は、木質細片、例えばおがくず等にバクテリア等の好気性菌を担持した培養材と有機質廃棄物の被処理材を処理容器に装入して処理するために、６０℃から８０℃前後の高温発酵を条件とするための良好な換気を必要とする。従って、自らの発酵温度だけで処理効率を保持するための温度を維持することは難しく、高温度を維持するために換気装置を使って強制的に換気を行わなければならないと言う問題点があった。
【０００７】
そして、有機質廃棄物の処理効率を保持するための温度を維持する必要もあり、補助的に暖房装置を用いて一定温度を維持する内部保温構造となり、例えば、熱風を強制的に処理容器内に噴出する装置を備えなければならないと言う問題点等もあった。
【０００８】
また、熱風等を噴出すると乾燥するため、乾燥を防ぐ湿度調整用散水装置が必要であると言う問題点があった。また、培養材全体の換気を行うために、頻繁に、かつ断続的混合を必要とした、高エネルギーを消費する装置であり、強制換気装置と内部保温構造と、混合装置を設けていない場合は、発酵効率が低下すると言う問題点もあった。
【０００９】
一方、嫌気性菌を主に活性化する約４０℃以下の低温発酵による有機質廃棄物の処理装置及び処理方法は、強制換気や高温度を維持する必要は無く、省エネルギーではあるし、低温発酵のため栄養分を保存した肥料になる。しかし、肥料として使用する場合に有機質廃棄物の有害細菌の残留問題や、有機質廃棄物の分解処理スピードが高温発酵によって処理する方法に比べて著しく遅く、また、水分の蒸発が悪く減容化と減量化が有機質廃棄物の処理方法としては劣っていた。
【００１０】
また、好気性菌を主体とした高温発酵で有機質廃棄物を分解処理をすると、発酵温度が６０℃以上になるため、有機質廃棄物はボロボロになり、色は黒っぽくなり、肥料成分の窒素分や有機質のエネルギーロスが多く、作物に有効な肥料成分が失われ、効率的な肥料にならないと言う問題点があった。
【００１１】
本発明は、上述の様な問題点を解決するためになされたもので、その目的とするところは、強制換気が不要で、内部保温構造にする必要が無く、頻繁に断続的混合などの大きなエネルギーを消費せず、エネルギー消費の少ない間欠的混合か、もしくは低速での連続混合で、耐熱性菌等が活性化して、自然発酵で発酵効率の向上する環境を確保し、安全で肥料成分を失わず作物に有効で効果的な肥料を実現し、かつ、培養材と被処理材の排出も簡単で、処理容器内の掃除も簡単な有機質廃棄物の処理装置及び有機質廃棄物の処理方法を提供するものである。
【００１２】
【課題を解決するための手段】
本発明に係る有機質廃棄物の処理装置においては、通気性及び柔軟性を有する材料で袋状に形成され、培養材及び有機質廃棄物の被処理材を収納する袋体と、この袋体が変形しないように保持する袋体保持部材と、袋体及び袋体保持部材を収納する収納容器と、培養材と有機質廃棄物の被処理材とが充分混合するように収納容器を回転させる回転手段とを備えたものである。
【００１３】
また、収納容器は、内部に袋体及び袋体保持部材を収納したとき、袋体内に収納された培養材及び有機質廃棄物の被処理材が袋体外に漏れ出さないように、袋体の装入排出口を閉鎖する閉鎖手段を備えたものである。
【００１４】
また、袋体に培養材及び有機質廃棄物の被処理材を収納する装入排出口を設け、この装入排出口を閉じて袋体を収納容器に収納したときに、収納容器に設けられた蓋により袋体の装入排出口が袋体保持部材の上側両端部に押し当てられて密封されるように構成したものである。
【００１５】
また、袋体や収納容器の内面または内外面に炭を混入したペンキを塗り、消臭機能を持たせたものである。
【００１６】
また、培養材は、穀物起源の実、果皮、種皮、内胚乳、外胚乳などを粉状にした粉体に耐熱性菌等の細菌を主に担持したものである。
【００１７】
本発明による有機質廃棄物の処理方法においては、袋体に初期装入した培養材に穀物起源の実、果皮、種皮、内胚乳、外胚乳などを粉状にした粉体と有機質廃棄物の被処理材を繰り返して入れる事により、粉体に耐熱性菌等の細菌を主に担持した新たな培養材を繰り返して作ることが出来る方法である。
【００１８】
本発明に係る有機質廃棄物の処理装置においては、通気性及び柔軟性を有して微生物に分解され難い有機質または無機質の材質で作られた紙で袋状の形成するか、または織布で袋状の形成するか、または不織布で袋状に形成して培養材及び有機質廃棄物の被処理材を収納する第二袋体を備えたものである。
【００１９】
また、第二袋体の中に、通気性及び柔軟性を有して微生物に分解され難い有機質または無機質の材質で作られた紙で袋状に形成するか、または織布で袋状に形成するか、または不織布で袋状に形成して培養材及び被処理材を収納する中袋を備えたものである。
【００２０】
また、第二袋体が変形しないように保持する第二袋体保持部材を備えたものである。
【００２１】
また、培養材と被処理材を第二袋体の中で保温しながら粉砕する保温粉砕手段を備えたものである。
【００２２】
また、第二袋体に培養材及び被処理材を装入排出する装入排出口を設け、この装入排出口またはこの装入排出口と第二袋体の側面を空気及び水蒸気は通すが水をはじく材料で覆いをする第二袋体カバーを備えたものである。
【００２３】
また、第二袋体または第二袋体と第二袋体保持部材を収納する第二収納容器を設け、この第二収納容器は貫通孔で通気性を有して微生物に分解され難い有機質または無機質の材質で形成され、複数の貫通孔を備えたものである。
【００２４】
また、第二収納容器に第二袋体を保温または、加熱する保温加熱手段を備えたものである。
【００２５】
また、第二袋体に培養材と被処理材を装入し、第二袋体を変形させる手段または第二袋体を上下逆転させる攪拌手段とを備え、第二袋体を変形させた時または第二袋体を上下逆転させた時、培養材と被処理材が攪拌されるようにしたものである。
【００２６】
また、第二袋体と、第二袋体を収納する第二収納容器と、第二収納容器に第二袋体を出し入れする袋体装入排出口と、袋体装入排出口に蓋を設け、培養材と被処理材とが充分攪拌するように第二収納容器を回転させる回転手段とを備えたものである。
【００２７】
また、第二収納容器が逆回転しないように逆回転防止手段を備えたものである。
【００２８】
【発明の実施の形態】
実施の形態１、
本発明の実施の形態１である有機廃棄物の処理方法及び有機廃棄物の処理装置を、図１〜図９に基づいて説明する。図１は、この発明の一実施の形態を示す有機質廃棄物の処理装置の一部を破断した正面断面図である。図２は、図１のＡ−Ａ線に沿う断面図である。図３は、図１に示す有機廃棄物の処理装置の斜視図である。図４は、この発明の袋体の保持部材を示す斜視図である。図５〜図７は、袋体の中に袋体保持部材を装入し、袋体の装入排出口を開いた状態から、装入排出口を折り曲げて閉じるまでの状態を示す斜視図である。図８は、収納容器に収納された袋体の装入排出口を折り曲げる直前の状態を示す部分斜視図である。図９は、収納容器に収納された袋体の装入排出口を折り曲げた後の状態を示す部分斜視図である。
【００２９】
図において、１ａは袋体であり、通気性及び柔軟性を有する不織布の材料を用いて袋状に構成され、この袋体１ａには装入排出口１ｂ（図５に示す）が設けられ、装入排出口１ｂの部分には確実に装入排出口１ｂが閉鎖出来るように装入排出口補強部材２（図５に示す）が設けられている。
【００３０】
３は袋体保持部材であり、図４に示すように袋体１ａの形状を保つためプラスチックや鋼鉄やステンレス等の素材により、形は収納容器４（後述する）と同じ形でサイズは収納容器４より一回り小さい大きさで、なおかつ袋体１ａの中に装入可能な大きさで骨格の芯部分のみ（図４に示す）で形成されていて、袋体１ａの中に装入して使用するように構成されている。
【００３１】
４は袋体１ａを収納する収納容器であり、袋体１ａを内部に収納出来るように袋体１ａより一回り大きい大きさで箱状に形成され、上部に開閉可能な蓋４ａが設けられ、袋体１ａを装入排出ができるように装入排出口４ｂ（図９に示す）を有し、袋体１ａを内部に入れたまま収納容器４が回転出来るように、収納容器４の両端部４ｃ、４ｄ（図１に示す）の中心部にベアリング４ｅが設けられ、軸４ｆを中心に回転するように構成されている。
【００３２】
図３に示す５は収納容器４の回転手段としての取っ手であり、耐食性の良いプラスチックや木や硬質ゴム等の素材により握りやすく形成され、面取りをした直方体の収納容器４を人力で回転出来るように収納容器４の一端の外周部に複数個取り付けられている。
【００３３】
図３に示す６は収納容器４を必要に応じて固定するストッパーであり、コの字状の拘束部を有し、後述する脚部７に可動可能なように取り付けられ、拘束部で取っ手５を挟む事により収納容器４が固定出来るように設けられている。なお、収納容器４の本体にストッパーを差し込んで収納容器４を固定する等の構成でも良い。
【００３４】
７は収納容器４を支えている脚部であり、脚部７には収納容器４が回転できる高さに、軸４ｆを支持する一対の軸受け７ａが取り付けられている。また、ストッパー６の支持台も兼ねている。
【００３５】
図３に示す８は収納容器４が雨に濡れないようにする雨よけカバーであり、防水性と柔軟性のあるビニールシート等の素材のシート８ａと、このシート８ａを支える鉄等の素材で形成された複数の骨組み部材８ｂで構成され、収納容器４の上部に被せるように脚部７に取り付けられている。
【００３６】
図１に示す９は培養材であり、有機質廃棄物を発酵処理するため袋体１ａの内部に装入されている。
【００３７】
１０は被処理材であり、業務用厨房又は家庭の台所等から排出されたものであり、魚、肉、野菜の一部などからなる有機質廃棄物で、袋体１ａの内部に被処理材１０として装入される。
【００３８】
２０は処理容器であり、培養材及び有機質廃棄物を収納する袋体１ａと、この袋体が変形しないように保持する袋体保持部材３と、袋体１ａ及び袋体保持部材３を収納する収納容器４とにより構成されている。
【００３９】
３０は有機質廃棄物の処理装置であり、処理容器２０と、この処理容器２０を支える脚部７と、処理容器２０を雨に濡れないようにする雨よけカバー８とにより構成されている。
【００４０】
なお、処理装置３０には消臭装置は設置されておらず、処理容器２０の袋体１ａと、袋体保持部材３と、収納容器４の内面または内外面に炭を混入したペンキを塗り（図示せず）、消臭機能を持たせている。
【００４１】
次に、有機質廃棄物の処理装置としての動作を図１〜図９に基づき説明をする。先ず、収納容器４の蓋４ａを開け、その中にある袋体１ａの装入排出口１ｂから最初に培養材９を装入する。次に、被処理材１０を装入し、その度に袋体１ａの装入排出口１ｂを３回折り曲げ収納容器４の蓋４ａを閉じる。次に、収納容器４を取っ手５により人力にて回転させ、培養材９と被処理材１０とを混合することにより、被処理材１０が発酵し良質な土壌改良材や肥料が生成される。なお、収納容器４を回転させるための駆動力は必ずしも人力とは限らず、電動機（図示せず）による動力でも良い。
【００４２】
次に、有機質廃棄物の処理方法について説明する。先ず、積極的に培養材９の耐熱性菌のために水分を３０％〜５０％の範囲で調整し、混合しながら空気を多く供給して耐熱性菌を活性化すると、発酵温度は４０℃〜６０℃まで上昇し、病原菌や糸虫、ウィルスなどの病害虫が死滅し、リグニンやセルロース、タンニンなどの分解しにくい物質を分解しやすくする。また、糖化作用によりデンプンなどが分解され、タンパク質も分解酵素により分解されるなど、有機質廃棄物の処理が出来るだけでなく有効な肥料成分も失われず、作物にも効率の良い肥料が作れる。
【００４３】
穀物起源の実、果皮、種皮、内胚乳、外胚乳などを粉状にした糠等は、麹菌と糖蜜などを加えて湿度や空気の流通を整えた環境で発酵すると、一時的には５０℃までの発酵温度に上がることは周知の事実であるが、実験の結果、５０℃までの一時的な発酵では、有機質廃棄物を処理する最適な培養材９にはならない。そこで、麹菌からの発酵した糠等に糖蜜や蜂蜜などの多様な蜜類を加え、乳酸菌や納豆菌を加える等の工夫を行い、定期的に天地返しを行い、水分を加減しながら３０％〜５０％の湿度管理を行って５５℃前後の発酵温度を連続的に１０〜１４日間維持すると、安定した耐熱性菌が担持された培養材９になり、この培養材９は有機質廃棄物の被処理材１０を処理する最適な培養材９である。
【００４４】
耐熱性菌を活性化するために空気を供給する方法として、袋体１ａ内を混合すると、空気が混入されて耐熱性菌が活性化して温度が上がり、有機質廃棄物が含んでいた水分と発酵分解した後に発生する水分が蒸発する。そして、袋体１ａが静止しているときは、空気が遮断されて温度が下がる。この作用をうまく利用するため、袋体１ａに装入された培養材９に有機質廃棄物の被処理材１０がまぶされ、被処理材１０が埋もれた程度になって袋体１ａが静止する状態が出来る間欠的混合をすると、発酵温度は５５℃前後の温度帯になり、水分も蒸発するため湿度も安定し、３時間から４８時間前後で有機質廃棄物の魚、肉、野菜など（木片や骨、野菜の繊維質、魚の皮、そして、大部分が汁物、塩気、油物などに偏っている物は除く）の高速処理が出来る。
【００４５】
培養材９と被処理材１０に適度な空気混入が出来る具体的な混合方法は、回転手段として人力で行える程度の駆動力で、取っ手５を持って処理容器２０を回転させ、袋体１ａに装入された培養材９に被処理材１０がまぶされて埋まる程度の混合で、培養材９に被処理材１０が埋まっている時間が一定時間以上の幅を持たすことが必要であり、範囲として１日１回から８回で、通常、２回から３回の回数で回転し、１度の回転時に２回転から１０回転、通常３回転前後の間欠的な回転で、一般的には被処理材１０の装入後に行う。また、回転の駆動力は電力でも良く、この場合は処理容器２０にギヤ、ベルト、チェーン等を設けモータ等の電力を使った駆動装置（図示せず）が考えられ、処理能力が１日２キログラム以上を基準とすると、発酵温度が５５℃前後から極端に低下しない程度の状態で、回転間隔は時速２回転から６０回転程度、通常時速３０回転程度の速度で、１日に３回から２０回程度、通常１日に８回程度の回数で連続１０分前後の運転時間で間欠的回転する処理方法がある。
【００４６】
また、気候や装入する被処理材１０の種類と処理能力で大きく変化するが、実験結果では、時速０．５回転から時速６回転程度の低速での連続回転の処理方法もある。
【００４７】
培養材９として、色々な素材を試した結果、おがくずなどの木質細片や籾においては通気性はあり、発酵温度は６０℃から８０℃前後まで上がるのは良いが、保湿性が弱い。そこで通気性と保湿性の良い培養材９として穀物起源の粉体が適している。しかし、穀物を起源とした粉体の実験例として小麦粉のみでは、グルテンが強く湿気のある有機質廃棄物などを投入すると、グルテンが固まっていく性質を有し、培養材９としては不適格であった。そこで、それらの欠点を考慮した結果、グルテン含有が低い種類の穀物において、耐熱性菌を担持する培養材９として、適度な保湿と通気性を有しており、安価で入手しやすく実用的である果皮、種皮、外胚乳などを粉状した糠等が適している。又、小麦粉のみの欠点を補うために培養材９が固まらないようにしたり、培養材９の通気性を調節する場合や、消臭のためには、植物を炭素化した物でより良い肥料になる物で、例えば珈琲粕・燻炭や木炭等を混入しても良い。
【００４８】
有機質廃棄物処理の具体的な方法は、袋体１ａの中にある培養材９に、袋体１ａの上部や下部、そして、両サイドから万遍なく空気の供給をすると、培養材９の表面には耐熱性菌が主に活性化し、有機質廃棄物である被処理材１０をその中に埋めて温度と湿度を管理しながら処理する方法である。
【００４９】
糠等を原料として耐熱性菌糖を担持した独自の培養材９は、耐熱性菌の生育繁殖に欠かせない水分や空気を適度に含んだ状態であり、袋体１ａに初回は培養材９を袋体１ａの容量の４０〜７０％の許容範囲で装入するが、袋体１ａの形態と培養材９の分解処理能力のバランスを考えると、最適な量として容量の約５０％から６０％程度の装入量が良い。
【００５０】
培養材９で発酵分解された後の被処理材１０は、初期装入後１０日から１００日の期間で培養材９と共に袋体１ａから排出させるが、排出される前日まで装入された被処理材１０も大部分は発酵分解されており、一緒に排出することが出来る。そして、排出された物は、２次処理と言われる排出後の熟成期間を置く必要のないことが特徴であり、土壌改良材や肥料として使用され、その効用は、各種酵素によりアミノ酸や有機化合物の栄養が作られているため植物の根の活力を高め、土壌有害菌など有害な菌から植物の根を守り、根の栄養吸収を助けるため、生き生きとした作物が育つ。例えば、ホウレン草は本来の色である鮮やかな緑色で、苦みのない美味しさを保ち、大根は瑞々しくパリッとした食感であり、人参の味は果物の甘味のような美味しさがあり、作物が育ち難い荒れ地でも肥料としての効果が早く出る。
【００５１】
耐熱性菌に糖蜜などを加えて湿度や空気の流通を整えた環境で発酵して熟成した穀物起源の糠等の培養材９で発酵分解された後の被処理材１０は、初期装入後１０日から１００日の期間で培養材９と共に袋体１ａから排出させるが、穀物起源の実、果皮、種皮、内胚乳、外胚乳などを粉状にした糠等の粉体とその他に業務用厨房又は家庭の台所等から排出された有機質廃棄物の被処理材１０とを繰り返して入れる事により、上記粉体に耐熱性菌を担持した新たな培養材を１０日から１００日の期間で繰り返して作ることが出来る。
【００５２】
この培養材は、初期培養材９に糠と水分が多い野菜なども含んだ有機質廃棄物を装入し、その後発酵温度が５５℃に達してから１０日間ほど有機質廃棄物の被処理材１０を連続装入すると、初期培養材９に担持されている耐熱性菌が新たに装入された糠に担持され、新たな培養材になる。
【００５３】
初期培養材９と糠を装入して出来た新たな培養材に被処理材１０を連続装入して、袋体１ａの容量に占める量が８０％以上になって攪拌し難くなったり、被処理材装入開始後１００日以上を経過した場合は、袋体１ａの容量の３０％まで培養材９と被処理材１０を取り出し、新たに米糠を袋体１ａの５０％の容量まで装入し、再び被処理材１０を繰り返し装入することが出来る。以後、新たに装入した米糠が発酵をすることにより、繰り返し新たな培養材が出来る。また、袋体１ａから取り出した培養材９と被処理材１０は土壌改良材や肥料として使用出来る。
【００５４】
次に、上述の様に構成された有機質廃棄物の処理装置において、特徴とする各部の詳細な構成と作用効果について説明する。図２に示す収納容器４の蓋４ａの閉まった状態の中にある袋体１ａの装入排出口１ｂは、３回折り曲げてある。この装入排出口１ｂの３回の折り曲げと収納容器４の蓋４ａが閉まっている状態が、収納容器４と袋体１ａを回転させた時、袋体１ａの内部に装入した培養材９と被処理材１０が漏れ出ることがない閉鎖状態を作っており、装入排出口１ｂの折り曲げが２回以下では培養材９と被処理材１０は漏れ出てしまう。収納容器４と袋体１ａを回転させた時、培養材９と被処理材１０が漏れ出ることがない閉鎖状態を作るためには、収納容器４の蓋４ａをした状態で袋体１ａの装入排出口１ｂを３回折り曲げた状態を維持することである。このために、蓋４ａで装入排出口１ｂを押さえて袋体１ａの中に装入されている袋体保持部材３の上側の端部３ａ、３ｂとの間に挟んで固定していることが重要な閉鎖手段である。
【００５５】
図８は収納容器４に収納された袋体１ａの装入排出口１ｂを折り曲げる直前の状態である。図９は収納容器４に収納された袋体１ａの装入排出口１ｂを折り曲げた後の状態を示し、折り曲げられた装入排出口１ｂの両端部すなわち、装入排出口補強部材２の両端部を袋体１ａの中に装入されている袋体保持部材３の上側の両端部３ａ、３ｂの上に置いて、収納容器４に設けられた蓋４ａと袋体保持部材３の上側の両端部３ａ、３ｂとの間に袋体１ａの装入排出口１ｂの両端部を挟んで固定して閉鎖出来るように構成している状態を示す斜視図である。
【００５６】
図４に示す袋体保持部材３は、袋体１ａの形状を保ち、袋体１ａ内の空間を確保するためのものであり、袋体１ａに培養材９と被処理材１０を装入し、袋体１ａを上下逆転させたりした時、培養材９と被処理材１０が攪拌出来やすくするためには袋体１ａ内の空間が空いている必要がある。そのため、形は収納容器４と同じ形でサイズは収納容器４より一回り小さい大きさで、なおかつ袋体１ａの中に装入可能な大きさで骨格の芯部分のみ（図４に示す）で形成されていて、袋体１ａの中に装入して使用するように構成されている。なお、この袋体保持部材３は必ずしも袋体１ａの内部に入れて使用するだけとは限らず袋体１ａ形状を保つためには、袋体１ａの外側周りで構成しても良い。
【００５７】
図５〜図７は、袋体１ａの中に袋体保持部材３を装入して、袋体１ａの装入排出口１ｂを閉じて折り曲げている過程と、折り曲げた後の状態を示す斜視図である。袋体１ａは、通気性及び柔軟性を有する材料の不織布等であるため袋体１ａの形状を袋体保持部材３で保てるように袋体１ａの中に袋体保持部材３を装入して一体化し、収納容器４に収納できるように収納容器４より一回り小さく保ち、袋体１ａの装入排出口１ｂの部分には装入排出口補強部材２（図５に示す）を入れて袋体１ａの装入排出口１ｂを補強し、袋体１ａの装入排出口１ｂを折り曲げて密閉した部分から培養材９や被処理材１０が漏れて出ないように作られている。なお、通気性と柔軟性があれば、袋体１ａの素材は織布や紙等でも良い。
【００５８】
図３は、有機質廃棄物の処理装置３０のを示す斜視図である。８は雨よけカバーであり、ビニールシート等の素材のシート８ａで脚部７から収納容器４を覆うように設けられ、培養材９や被処理材１０を装入排出しない時や収納容器４を回転させない時は、カバーフック８ｄに引っ掛け金具８ｃで引っ掛けて固定されている。また、培養材９や被処理材１０を装入排出する時はカバーフック８ｄから引っ掛け金具８ｃを外し、収納容器４の蓋４ａを開ける時に一緒にシート８ａも外して使用したり、処理容器２０を回転させる時も一緒にシート８ａを外して使用する。なお、シート８ａの素材は耐食性のよい金属等でも良いし、また、雨よけカバー８は前後、両側面など装置全体を覆う構成にしても良い。
【００５９】
本発明の有機質廃棄物の処理装置３０は、耐熱性菌が活性化している環境で有機質廃棄物を処理するため、培養材９と共に排出された被処理材１０は、培養材９の糠等と共に微生物の連携が良く、肥料成分の窒素分や有機質のエネルギーのロスがなく、病気に強く、栄養豊富な作物作りに効率の良い肥料となる。
【００６０】
培養材９として、耐熱性菌を担持した適度な保湿と適度な通気性がある穀物起源の糠は、入手しやすく、安価で、実用的な物であるため、従来の耐熱性菌が活性化するための環境作りと比較すると、強制換気や温度維持や頻繁に断続的混合や水分補給などという条件が必要ない部分もあり、また必要でも外気温が氷点下になった場合の暖房程度の簡易さで良く、有機質廃棄物の分解処理能力も劣らずに、省エネルギーと言う点において大変有利な方法と装置である。
【００６１】
耐熱性菌が活性化出来るように独自に工夫をした培養方法を使った穀物起源の糠等の培養材９は、有機質廃棄物の被処理材１０を処理するだけでなく新しく糠を加えることにより、加えた糠が耐熱性菌を担持した新たな培養材９として被処理材１０を処理する能力を持つことが出来、これを繰り返すことにより連続的に培養材を作ることが出来る点に置いて大変簡単で便利な方法である。
【００６２】
一般的に従来の有機質廃棄物処理装置で必要条件とされる連続換気や、暖房や、頻繁な断続的攪拌などは人力では難しいが、本発明の実施の形態の有機質廃棄物の処理装置３０は上記の条件が必ずしも必要でなく、省エネルギーであり、一定規模の有機質廃棄物の処理装置３０までは、駆動力が人力でも可能であり、動力装置の製作に費やす労力や経費、動力装置の維持管理の経費を考えると、大変効率がよい。
【００６３】
本発明の有機質廃棄物の処理装置３０は、装置の形態として、駆動力は人力でも電動機などの動力でも、どちらにも切り替えることが出来、また、同じ形態で装置を拡大して被処理材１０の処理量を増やすことも可能であり、有機質廃棄物の処理装置３０を大きくすると被処理材１０の処理能力は、装入する培養材９の量に比例するかそれ以上に、小型装置より大型装置になればなるほど増大するという利点がある。
【００６４】
本発明の有機質廃棄物の処理装置３０で、処理能力が２キロ前後までの駆動力が人力の処理装置は、モーターやスイッチが必要ないため、装置も軽くて操作も簡単である。
【００６５】
本発明の有機質廃棄物の処理装置３０は、悪臭は発生しないが糠独特の臭いと被処理材が分解されるときに臭いが発生するので、収納容器４に錆止めを塗った後に炭を混入したペンキを塗ったり、袋体１ａにも塗ることにより、消臭機能を持たせることができ、臭いを軽減させることにより、室内で使用することも可能である。
【００６６】
実施の形態２．
本発明の実施の形態２である有機廃棄物の処理方法及び有機廃棄物の処理装置を、図１０及び図１１に基づいて説明する。図１０は、この発明の実施の形態２を示す有機質廃棄物の処理装置の断面図である。図１１は、この発明の実施の形態２を示す有機質廃棄物の処理装置の第二袋体の斜視図である。
【００６７】
図１０において、４０は第二有機質廃棄物処理装置である。４１は第二袋体であり、通気性及び柔軟性を有して微生物に分解され難い有機質の紙、または有機質の織布、または無機質の織布、または有機質の不織布、または無機質の不織布の材質を用いて袋状に構成されている。この第二袋体４１には装入排出口４２（図１１に示す）が設けられ、装入排出口４２の部分には確実に装入排出口４２が閉鎖出来るように装入排出口補強部材４３（図１１に示す）が設けられている。そして、第二袋体の材質は有機質廃棄物の被処理材５１（後述する）の内容物によって使い分ける。例えば、水分の含有量の少ない被処理材５１の場合は、有機質の紙で形成したり、水分の含有量が多い場合は水蒸気の発生が多いため無機質の織布や不織布で形成する。また、材料は綿や紙、そしてナイロン、ポリエステル、ポリ塩化ビニール、ポリプロピレン、ポリエチレン等の合成樹脂である。なお、第二袋体４１の形状は立方体、直方体、円柱体など用途に応じて変化し、袋体の材質は形状に応じても使い分ける。例えば、有機質の材質の第二袋体４１の場合は、材質が有機質であるために長期的には分解されるため被処理材５１と共に処理できる。また有機質、無機質の織布の場合は、柔軟性に富んでいるため変形した第二袋体４１を作る場合に適している。また有機質・無機質の不織布の場合は、単価が安く、加工が簡単である。
【００６８】
４４及び４５は第二袋体４１の上部取っ手であり、第二袋体４１の一方の側面に第一取っ手４４が設けられ、他方の側面に第二取っ手４５が設けられている。この第一取っ手４４と第二取っ手は、第一取っ手４４に第二取っ手４５を通して第二取っ手４５を持って使用される。下端部には下部取っ手４６（図１１に示す）が設けられ、下部取っ手４６と第二取っ手４５を持って第二袋体４１を上下逆転したとき、第二袋体４１に装入されている培養材５０（後述する）及び被処理材５１が装入排出口４２から排出しないように構成されている。
【００６９】
この構成は、第二袋体４１の装入排出口４２を閉じて３回折り曲げた後、第一取っ手４４に第二取っ手４５を通し、第二取っ手４５と下部取っ手４６を持って第二袋体４１を上下逆転したとき、３回折り曲げられた装入排出口４２は自動的に締め付けられるために第二袋体４１の装入排出口４２を閉鎖する閉鎖機能がある。
【００７０】
第一取っ手４４、第二取っ手４５及び下部取っ手４６などを第二袋体４１に形成することにより、これらの取っ手は第二袋体４１を変形させる手段となり、第二取っ手４５と下部取っ手４６を持って下部取っ手４６を第二取っ手４５より高くすることにより第二袋体４１は上下逆転して攪拌手段となる。
【００７１】
４７は中袋であり、通気性及び柔軟性を有して微生物に分解され難い有機質の紙、または有機質の織布、または無機質の織布、または有機質の不織布、または無機質の不織布の材質を用いて袋状に構成される。そして、中袋４７は第二袋体４１の内側に収納されて培養材５０と被処理材５１の装入後の保温及び湿度調整及び防臭などの機能のために使用される。また、中袋４７の材質及び材料は第二袋体４１と同じものであるが、第二袋体４１と中袋４７の材料及び材質は被処理材５１の内容物によって使い分けられ、第二袋体４１と中袋４７の組み合わせ方によっては必ずしも第二袋体４１には同じ材料及び材質の中袋４７を収納するとは限らない。なお、中袋４７の収納枚数は一枚とは限らず複数枚重ねて使用しても良い。また、外気温や袋内部の湿度によっては、中袋４７が第二袋体４１に常に収納されているとは限らない。
【００７２】
４８は第二袋体カバーであり、第二袋体４１の装入排出口または第二袋体４１の側面を覆う（図１０に示す）機能を持っている。材質は空気及び水蒸気は通すが水をはじくためには微細で複数の孔を持つ無機質の織布や不織布であり、材料はナイロン、ポリエステル、ポリ塩化ビニール、ポリエチレン及びポリプロピレン等の合成樹脂等を使い、多重に重ねて袋状に形成して機能性を高めている。なお、第二袋体カバー４８は第二袋体４１の第二袋体カバー４８だけでなく収納容器（図示せず）を使っている場合は、収納容器も含めて全体を覆うカバーともなり、保温効果も兼ねた保温防水カバーとして使用しても良い。
【００７３】
４９は第二袋体４１を置いている複数の貫通孔を有する置き台であり、第二袋体４１の底部からの水蒸気の拡散が出来るようにしてあり、腐食しない材質である塗装鋼板で形成している。なお、貫通孔の形や数は第二袋体４１の総重量に耐えられるような構造が考慮してあれば、丸のパンチ穴やスリット状や網状等の形状でも良く、また材質はステンレス及びプラスチック等でも良く、形は円筒形、多角箱形（図示せず）等でも良い。また、置き台４９の側面を伸ばして収納容器としての機能を持たせても良く、その場合は置き台４９に保温機能も持たせるため発泡スチロールやウレタン等の断熱材や保温材を巻いても良い。
【００７４】
５０は培養材であり、穀物起源の実、果皮、種皮、内胚乳、外胚乳などを粉状にした粉体に耐熱性菌等の細菌を主に担持したものである米糠である。そして、この培養材５０で有機質廃棄物である魚、肉、野菜等の一部からなる被処理材５１を発酵分解するのである。なお、培養材５０の材料は米糠に限らず籾殻、籾殻燻炭、麦粕等でも良く、またこれらにコーヒー粕や茶殻を混入しても良い。
【００７５】
なお、中袋４７及び第二袋体カバー４８及び置き台４９は、被処理材５１の内容物によるか、第二袋体４１の設置する状況の外気温や屋内などの設置場所などにより、使用しないときもある。
【００７６】
次に、第二有機質廃棄物処理装置４０としての動作を図１０に基づき説明する。先ず、第二袋体４１を覆っている第二袋体カバー４８を取り除く。次に、第二袋体４１の第一取っ手４４から第二取っ手４５を外して装入排出口４２を開き、その中にある中袋４７に外部より培養材５０を装入する。次に、被処理材５１を装入し、第二袋体４１の装入排出口４２を閉じて３回折り曲げ、第一取っ手４４に第二取っ手４５を通して装入排出口４２を閉鎖する。次に、第二袋体４１の第二取っ手４５と下部取っ手４６を持って上下逆転して、培養材５０と被処理材５１とを攪拌することにより、被処理材５１が発酵処理される。なお、第二袋体４１を上下逆転させるための駆動力は必ずしも人力とは限らず、モーター、エンジン等（図示せず）による動力でも良い。
【００７７】
培養材５０よる被処理材５１の処理方法は、実施の形態１の培養材９による被処理材１０の発酵処理方法と同じである。
【００７８】
実施の形態３．
本発明の実施の形態３である有機廃棄物の処理方法及び有機廃棄物の処理装置を、図１２〜図１４に基づいて説明する。図１２は、この発明の実施の形態３を示す有機質廃棄物の処理装置の正面断面図である。図１３は、この発明の実施の形態３を示す有機質廃棄物の処理装置の一部を破断した斜視図である。図１４は通気用部材の通気性を保った格子状を示す平面図である。
【００７９】
図１２において、６０は第三有機質廃棄物処理装置である。６１は第二袋体であり、通気性及び柔軟性を有して微生物に分解され難い有機質の紙、または有機質の織布、または無機質の織布、または有機質の不織布、または無機質の不織布の材質を用いて袋状に構成される。この第二袋体６１には装入排出口６２（図１３に示す）が設けられ、装入排出口６２の開口を維持するため、及び第二袋体６１の形状を保持するための第二袋体保持部材６５（後述する）が設けられ、第二袋体フック紐６３（図１３に示す）で第二袋体保持部材６５に、第二袋体６１は固定されている。そして、第二袋体６１の材質は有機質廃棄物の被処理材７９（後述する）の内容物によって使い分ける。例えば、水分の含有量の少ない被処理材７９の場合は、有機質の紙で形成したり、水分の含有量が多い場合は水蒸気の発生が多いため無機質の織布や不織布で形成する。また、材料は綿や紙、そしてナイロン、ポリエステル、ポリ塩化ビニール、ポリプロピレン、ポリエチレン等の合成樹脂である。なお、第二袋体６１の形状は第二収納容器７０（後述する）の形状にもよるが、立方体、直方体、円柱体など用途に応じて変化し、袋体の材質は形状に応じても使い分ける。例えば、有機質の材質の第二袋体６１の場合は、材質が有機質であるために長期的には分解されるため被処理材７９と共に処理できる。また有機質、無機質の織布の場合は、柔軟性に富んでいるため変形した第二袋体６１を作る場合に適している。また有機質・無機質の不織布の場合は、単価が安く、加工が簡単である。
【００８０】
６４は中袋であり、通気性及び柔軟性を有して微生物に分解され難い有機質の紙、または有機質の織布、または無機質の織布、または有機質の不織布、または無機質の不織布の材質を用いて袋状に構成される。そして、中袋６４は第二袋体６１の内側に収納されて培養材７８と被処理材７９の装入後の保温及び湿度調整及び防臭などの機能のために使用される。また、中袋６４の材質及び材料は第二袋体６１と同じものであるが、第二袋体６１と中袋６４の材料及び材質は被処理材７９の内容物によって使い分けられ、第二袋体６１と中袋６４の組み合わせ方によっては必ずしも第二袋体６１には同じ材料及び材質の中袋６４を収納するとは限らない。なお、中袋６４の収納枚数は一枚とは限らず複数枚重ねて使用しても良い。また、外気温や袋内部の湿度によっては、中袋６４が第二袋体６１に常に収納されているとは限らない。
【００８１】
６５は第二袋体保持部材であり、図１２に示すように第二袋体６１の形状を保つためプラスチックや鋼鉄やステンレス等の材料により、形状は第二収納容器７０（後述する）に収納できる形状で上部は第二袋体カバー７６（後述する）を支えるように形成され、サイズは第二収納容器７０より一回り小さい大きさで、なおかつ第二袋体６１の中に装入可能な大きさで骨格の芯部分のみ（図１２に示す）で形成されていて、第二袋体６１の中に装入して使用するように構成されている。なお、第二袋体６１の形状を保つには第二袋体６１の中に収納する場合だけでなく、第二袋体の外側で使用するように構成（図示せず）しても良い。また、第二収納容器７０の内側上部に部材を直接取り付ける構成（図示せず）でも良い。
【００８２】
６６は保温加熱手段としてのヒーターであり、第二袋体６１を囲むように形成されニクロム線などに通電して第二袋体６１を保温加熱するためのものである。このヒーター６６は、図１２に示すようにコントローラー６７で温度調節をして被処理材７９の発酵処理の促進をし、内部保温材６８と共に第二収納容器７０に取り付けられた引っ掛けバー７２（図１２に示す）に引っ掛けられて設置している。
【００８３】
６８は加熱保温手段としての内部保温材であり、第二袋体６１を囲むようにヒーター６６の外側に形成されて第二袋体６１を保温するためのものである。この内部保温材６８は、毛布等でも良い。なお、軽量で通気性と柔軟性があり保温機能がある材質のものならば何でも良い。また、ヒーター６６や内部保温材６８の装着の順序は内外逆になって装着しても良いし、第二袋体６１や第二収納容器７０に直接装着されていても良い。また、気温や湿度に応じてヒーター６６及び内部保温材６８は脱着可能である。
【００８４】
６９は通気用部材であり、第二収納容器７０の内側に設けられ、第二収納容器７０との隙間を開けて通気性をよりスムーズにするために部材である。図１４に示すように格子状の形状にして一辺を切り離して隙間を空けていて、材料は合成樹脂である。なお、形状は格子状だけでなく隙間を空けて通気性を保つための丸、三角、四角、多角形の筒状の集合体でも良く、材質も第二培養材７８と第二被処理材７９の重量を支える強度があり、腐食し難く形状が保たれる素材の木や紙やステンレス等で形成しても良い。
【００８５】
７０は第二収納容器であり、第二袋体６１または第二袋体６１と第二袋体保持部材６５を収納する。この第二収納容器第７０は、第二袋体６１を内部に収納出来るように第二袋体６１より一回り大きい大きさで箱状にしてあり、底部は通気性を保つように底上げて形成され、第二袋体６１を装入排出ができるように第二袋体装入排出口７１（図１３に示す）を有している。また、この第二収納容器７０は、第二袋体６１の通気性を良くするために複数の貫通孔７３（図１３に示す）が開いていて、錆止め塗装をした鋼材で形成されている。なお、貫通孔７３の数や形は第二袋体６１の総重量に耐えられるような構造を考慮してあれば、貫通孔７３の数と形状は丸のパンチ孔やスリット状や網状等でも良く、また材質はステンレス及びプラスチック等でも良く、形状は円筒形、多角箱形（図示せず）等でも良い。
【００８６】
７４は外部保温材であり、第二袋体６１を含めて第二収納容器７０も保温するために第二収納容器７０の外部に設置されている。この外部保温材７４は通気性のある毛布でも良いが外部に固定するためにポリプレピレン等の柔軟性のある材料で格子状に形成された外部保温材保持部材７５で固定されている。なお、外部保温材保持部材７５は複数のパンチ孔やスリット状の孔を開けたビニールシートや網状や複数の貫通孔のある金属部材等で構成しても良い。また、毛布そのものをフック等で直接取り付けても良し、毛布の間にヒーターを挟んで第二収納容器７０の外部から保温のために通電しても良い。なお、気温に応じて外部保温材７４及び外部保温材保持部材７５は、脱着可能な構成にしてある。また、外部保温材９８として第二収納容器９０の形状や貫通孔に合わして発泡スチロールやウレタンなどを直接張り付けたり、脱着可能な構成にしても良い。
【００８７】
７６は第二袋体カバーであり、第二袋体６１の装入排出口６２と第二収納容器７０の第二袋体装入排出口７１と第二収納容器７０の側面を覆う（図１３に示す）機能を持っている。材質は空気及び水蒸気は通すが水をはじくためには、微細で複数の孔を持つ織布や不織布でナイロン、ポリエステル、ポリ塩化ビニール、ポリエチレン及びポリプロピレン等の合成樹脂等の材質を使い、多重に重ねて袋状に形成して機能性を高めている。また、第二袋体カバー７６の上部に第二袋体カバー用取っ手７７（図１３に示す）が取り付けられている。なお、第二袋体カバー７６は防水だけでなく保温効果の役目もある。
【００８８】
７８は培養材であり、穀物起源の実、果皮、種皮、内胚乳、外胚乳などを粉状にした粉体に耐熱性菌等の細菌を主に担持したものである米糠である。そして、この培養材７８で有機質廃棄物である魚、肉、野菜等の一部からなる被処理材７９を発酵分解するのである。なお、培養材７８の材料は米糠に限らず籾殻、籾殻燻炭、麦粕等でも良く、またこれらにコーヒー粕や茶殻を混入しても良い。
【００８９】
なお、中袋６７は被処理材７９の内容物によるか、第二袋体６１の設置する状況の外気温や設置場所などにより、使用しないときもある。
【００９０】
次に、図１２及び図１３に示す実施の形態３の第三有機質廃棄物処理装置６０としての機能を説明をする。第三有機質廃棄物処理装置６０は、培養材７８と被処理材７９が外部で既に混合して装入された物、または外部より被処理材７９を装入する度に毎回同時に培養材６０も装入された物、これら装入された物を貯蔵する機能があり、また貯蔵している期間中に培養材６０による被処理材７９の発酵を継続して促進できる機能を有する。次に、実施の形態１及び実施の形態２との違いを説明する。実施の形態１の有機質廃棄物処理装置３０及び実施の形態２の第二有機質廃棄物処理装置４０は、袋体１ａ、第二袋体４１に一定量の培養材９、５０を外部より初期装入し、その後、被処理材１０、５１を一日の処理能力規定量以内で装入しながら被処理材１０、５１を発酵処理する装置である。それに対して実施の形態３の第三有機質廃棄物処理装置６０は、被処理材７９に培養材７８を外部で既に混合した状態で装入するか、または被処理材７９と培養材６０をその都度一緒に装入して発酵処理する装置である。
【００９１】
培養材７８よる被処理材７９の処理方法は、実施の形態１の培養材９による被処理材１０の発酵処理方法と同じである。
【００９２】
実施の形態４．
本発明の実施の形態４である有機廃棄物の処理方法及び有機廃棄物の処理装置を、図１５〜図１７に基づいて説明する。図１５は、この発明の実施の形態４を示す有機質廃棄物の処理装置の正面断面図である。図１６は、この発明の実施の形態４を示す有機質廃棄物の処理装置の側面断面図である。図１７は、この発明の実施の形態４を示す有機質廃棄物の処理装置の脚１０２とギア１０４部分の部分図である。
【００９３】
図１５において、８０は第四有機質廃棄物処理装置である。８１は第二袋体であり、通気性及び柔軟性を有して微生物に分解され難い有機質の紙、または有機質の織布、または無機質の織布、または有機質の不織布、または無機質の不織布の材質を用いて袋状に構成される。この第二袋体８１には装入排出口８２（図１５に示す）が設けられ、装入排出口８２の部分には確実に装入排出口８２が閉鎖出来るように装入排出口補強部材８３（図１５に示す）が設けられている。また、第二袋体８１の形状を保つため収納容器９０（後述する）に取り付けられた第二袋体フック９５（後述する）に引っ掛ける第二袋体フック紐８４が設けられている。そして、第二袋体８１の材質は有機質廃棄物の被処理材１１０（後述する）の内容物によって使い分ける。例えば、水分の含有量の少ない被処理材１１０の場合は、有機質の紙で形成したり、水分の含有量が多い場合は水蒸気の発生が多いため無機質の織布や不織布で形成する。また、材料は綿や紙、そしてナイロン、ポリエステル、ポリ塩化ビニール、ポリプロピレン、ポリエチレン等の合成樹脂である。なお、第二袋体８１の形状は第二収納容器９０（後述する）の形状にもよるが、立方体、直方体、円柱体など用途に応じて変化し、第二袋体８１の材質は形状に応じても使い分ける。例えば、有機質の材質の第二袋体８１の場合は、材質が有機質であるために長期的には分解されるため被処理材１１０と共に処理できる。また有機質や無機質の織布の場合は、柔軟性に富んでいるため変形した第二袋体８１を作る場合に適している。また有機質、無機質の不織布の場合は、単価が安く、加工が簡単である。
【００９４】
８５は中袋であり、通気性及び柔軟性を有して微生物に分解され難い有機質の紙、または有機質の織布、または無機質の織布、または有機質の不織布、または無機質の不織布の材質を用いて袋状に構成される。そして、中袋８５は第二袋体８１の内側に収納されて培養材１０９と被処理材１１０の装入後の保温及び湿度調整及び防臭などの機能のために使用される。また、中袋８５の材質及び材料は第二袋体８１と同じものであるが、第二袋体８１と中袋８５の材料及び材質は被処理材１１０の内容物によって使い分けられ、第二袋体８１と中袋８５の組み合わせ方によっては必ずしも第二袋体８１には同じ材料及び材質の中袋８５を収納するとは限らない。なお、中袋８５の収納枚数は一枚とは限らず複数枚重ねて使用しても良い。また、外気温や袋内部の湿度によっては、中袋８５が第二袋体８１に常に収納されているとは限らない。
【００９５】
８６は保温加熱手段としてのヒーターであり、第二袋体８１を囲むように形成されニクロム線などに通電して第二袋体８１を保温加熱とするためのものである。このヒーター８６は、図１５に示すようにコントローラー８７で温度調節をして被処理材１１０の発酵処理の促進し、内部保温材８８と共に第二収納容器９０に取り付けられた引っ掛けバー９４（図１５に示す）に引っ掛けられて設置している。また、ヒーター８６の形状は毛布状でも良いし、内部保温材８８は通気性のある毛布そのものでも良い。なお、ヒーター８６や内部保温材８８は第二袋体８１や第二収納容器９０に直接装着されていても良い。また、気温に応じてヒーター８６及び内部保温材８８は脱着可能である。
【００９６】
８８は加熱保温手段としての内部保温材（図１２に示す）であり、第二袋体８１を囲むようにヒーター８６の外側に形成されて第二袋体８１を保温加熱するためのものである。この内部保温材８８は、毛布等でも良い。なお、軽量で通気性と柔軟性があり保温機能がある材質のものならば何でも良い。また、ヒーター８６や内部保温材８８の装着の順序は内外逆になって装着しても良いし、第二袋体８１や第二収納容器９０に直接装着されていても良い。また、気温や湿度に応じてヒーター８６及び内部保温材８８は脱着可能である。
【００９７】
８９は通気用部材であり、第二収納容器９０の内側に設けられ、第二収納容器９０との隙間を開けて通気性をよりスムーズにするために部材である。格子状の形状にして一辺を切り離して隙間を空けていて、材料は合成樹脂である。なお、形状は格子状だけでなく隙間を空けて通気性を保つための丸、三角、四角、多角形の筒状の集合体でも良く、材質も培養材１０９と被処理材１１０の重量を支える強度があり、腐食し難く形状が保たれる素材の木や紙やステンレス等で形成しても良い。
【００９８】
９０は第二袋体８１を収納する第二収納容器であり、第二袋体８１を内部に収納出来るように第二袋体８１より一回り大きい大きさで箱状に形成されている。この第二収納容器９０は、上部に開閉可能な蓋９２が設けられ、第二袋体８１を装入排出ができるように第二袋体装入排出口９１（図１６に示す）を有し、第二袋体フック紐８４を掛けられる一対の第二袋体フック９５（図１６に示す）を第二収納容器９０の上部に有し、第二袋体８１を内部に入れたまま第二収納容器９０が回転出来るように、回転軸９３を中心に回転するように構成されている。また、この第二収納容器９０は第二袋体８１の通気性のために複数の貫通孔９６（図１６に示す）が開いていて、錆止め塗装をした鋼板で形成されている。なお、貫通孔９６の数や形は第二袋体８１の総重量に耐えられるような構造を考慮してある貫通孔９６の数と形状であれば、丸のパンチ孔やスリット状や網状等でも良く、また材質はステンレス及びプラスチック等でも良く、形は円筒形、多角箱形（図示せず）等でも良い。
【００９９】
図１６に示す９７は第二収納容器９０の取っ手である。この取っ手９７は、取っ手９７を取り付けることにより、脚部１０２（後述する）の軸受け１０３（後述する）に支えられた回転軸９３を中心に第二収納容器９０を回転させる回転手段となっている。また、耐食性の良いプラスチックや木や硬質ゴム等の素材により握りやすく形成され、面取りをした直方体の第二収納容器９０を人力で回転するように第二収納容器９０の一端の外周部に複数個取り付けられている。なお、回転駆動力は人力とは限らずモーター（図示せず）等の動力でも良い。
【０１００】
９８は外部保温材であり、第二袋体８１を含めて第二収納容器９０も保温するために第二収納容器９０の外部に設置されている。この外部保温材９８は通気性のある毛布でも良いが外部に固定するためにポリプレピレン等の柔軟性のある材料で格子状に形成された外部保温材保持部材９９で固定されている。なお、外部保温材保持部材９９は複数のパンチ孔やスリット状の孔を開けたビニールシートや複数の貫通孔のある金属部材等で構成しても良い。また、毛布そのものをフック等で直接取り付けても良し、毛布の間にヒーターを挟んで第二収納容器９０の外部から保温のために通電しても良い。なお、気温に応じて外部保温材９８及び外部保温材保持部材９９は、脱着可能な構成にしてある。また、外部保温材９８として第二収納容器９０の形状や貫通孔に合わして発泡スチロールやウレタンなどを直接張り付けたり、脱着可能な構成にしても良い。
【０１０１】
１１１は保温防水カバーであり、第二収納容器９０の上面またはこの上面と第二収納容器９０の側面を、空気及び水蒸気は通すが水ははじく材料で覆って、保温と防水の目的とした保温防水機能を持っている。材質は空気及び水蒸気は通すが水をはじくためには、微細で複数の孔を持つ織布や不織布でナイロン、ポリエステル、ポリ塩化ビニール、ポリエチレン及びポリプロピレン等の合成樹脂等の材質を使い、多重に重ねて袋状に形成して機能性を高めている。また、保温防水カバー１１１の上部に保温防水カバー用取っ手１１２（図１５に示す）が取り付けられている。
【０１０２】
図１５に示す１００は第二収納容器９０を必要に応じて固定するストッパーである。このストッパー１００は脚部１０２に固着されており、第二収納容器９０に形成されたストッパー穴１０１にバネ（図示せず）で丸棒１００ａを落とし込むように構成されている。また、図１７に示すように逆転防止するためにギア１０４が一対の回転軸９３の一方に固着されており、脚部１０２に取り付けられたツメ１０５によって逆転を防止している。なお、逆転防止にはブレーキ（図示せず）等で固定する方法でも良い。
【０１０３】
１０２は第二収納容器９０を支えている脚部である。この脚部１０２には第二収納容器９０が回転できる高さに、一対の回転軸９３を支持する一対の軸受け１０３が取り付けられている。また、ストッパー１００の支持台も兼ねている。
【０１０４】
１０７は回転コンセントであり、ヒーター８６に通電するために第二収納容器９０の回転軸９３に固着されている。またプラグ１０６は脚部１０２に固着されている。このプラグ１０６及び回転コンセント１０７は第二収納容器９０が回転しても電流が流れるように、円形に二本の溝を入れてあり、この溝にプラグ１０６を差し込んで第二収納容器９０の回転と共に回転コンセント１０７も回転する構成になっている。
【０１０５】
１０８は粉砕保温体であり、例えばプラスチック等で形成されており第二被処理材１１０の塊を粉砕しやすいように凹凸のある形状（図１５に示す）にしてあり、培養材１０９と被処理材１１０を保温しながら粉砕するために第二袋体８１の中に複数装入されている。この粉砕保温体１０８は、粉砕保温体１０８の重みと粉砕保温体１０８同士のぶつかり合いで第二被処理材１１０の塊を粉砕できる。
また、粉砕保温体１０８の中に水等を密封して水の蓄積熱で保温効果を持続するものである。なお、粉砕保温体１０８の数は第二袋体８１の容積に応じて増減するものである。また、粉砕保温体１０８の材質は、割れ難い合成樹脂、金属等や熱を蓄積出来る陶材、石材、液体等を使い組み合わせて加工したものもでも良い。また、大きさと形状は、第二袋体８１の容積と第二被処理材１１０の質に応じて決める必要があり、立方体、直方体、円筒形、多面体、球等でも良い。
【０１０６】
１０９は培養材であり、穀物起源の実、果皮、種皮、内胚乳、外胚乳などを粉状にした粉体に耐熱性菌等の細菌を主に担持したものである米糠である。そして、この培養材１０９で有機質廃棄物である魚、肉、野菜等の一部からなる被処理材１１０を発酵分解するのである。なお、培養材１０９の材料は米糠に限らず籾殻、籾殻燻炭、麦粕等でも良く、またこれらにコーヒー粕や茶殻を混入しても良い。
【０１０７】
なお、中袋８５は被処理材１１０の内容物によるか、第二袋体８１の設置する状況の外気温や設置場所などにより、使用しないときもある。
【０１０８】
次に、第四有機質廃棄物処理装置８０としての動作を説明をする。先ず、保温防水カバー１１１を取り、蓋９２を開け、第二袋体８１の装入排出口８２を開け、その中にある中袋８５に外部より培養材１０９を装入する。次に、被処理材１１０を装入し、その度に第二袋体８１の装入排出口８２を３回折り曲げ蓋９２をする。次に、取っ手９７を持って第二収納容器９０を回転させて、培養材１０９と被処理材１１０とを攪拌することにより、被処理材１１０が発酵処理される。なお、第二収納容器９０を回転させるための駆動力は必ずしも人力とは限らず、モーターやエンジン（図示せず）による動力でも良い。
【０１０９】
次に、上述の様に構成された第四有機質廃棄物処理装置８０の特徴とする第二袋体８１の装入排出口８２の閉鎖手段について詳細な説明をする。図１５に示す第二収納容器９０の蓋９２の閉まった状態の中にある第二袋体８１の装入排出口８２は、３回折り曲げてある。この装入排出口８２の３回の折り曲げと第二収納容器９０の蓋９２が閉まっている状態が、第二収納容器９０と第二袋体８１を回転させた時、第二袋体８１の内部に装入した培養材１０９と被処理材１１０が漏れ出ることがない閉鎖状態を作っており、第二袋体８１の装入排出口８２の折り曲げが２回以下では培養材１０９と被処理材１１０は漏れ出てしまう。第二収納容器９０と第二袋体８１を回転させた時、培養材１０９と被処理材１１０が漏れ出ることがない閉鎖状態を作るためには、第二収納容器９０の蓋９２をした状態で第二袋体８１の装入排出口８２を三回折り曲げられた状態を維持することである。このために三回折り曲げられている第二袋体８１の装入排出口８２と装入排出口補強部材８３の両端部を、第二収納容器９０の蓋９２と、第二収納容器９０の上部に形成されている一対の第二袋体フック９５との間に挟んで固定していることが重要な閉鎖手段である。なお、装入排出口補強部材８３の幅を広くするなどの調節をして、第二袋体８１の装入排出口８２を第二袋体フック９５と第二収納容器９０の蓋９２との間に挟まなくても培養材１０９と被処理材１１０の自重量と、第二収納容器９０の蓋９２との間で第二袋体８１の装入排出口８２を三回折り曲げられた状態が維持できるようにしても良い。
【０１１０】
次ぎに、第四有機質廃棄物処理装置８０において特徴とする作用効果は、実施の形態１の有機質廃棄物処理装置３０の作用効果と同じである。
【０１１１】
次ぎに、培養材１０９よる被処理材１１０の処理方法は、実施の形態１の培養材９による被処理材１０の発酵処理方法と同じである。
【０１１２】
なお、明細書で示した期間や量や温度や回数などの数値は、例示であって、それだけに限定される物ではない。
【０１１３】
以上、実施の形態１〜４に基づき説明したが、本発明は上記実施例に何ら限定される物でなく、本発明の趣旨を逸脱しない範囲内で種々の改良変形が可能である。
【０１１４】
実施の形態２では、第二取っ手４５がある第二袋体４１であるため、置き台４１に必ずしも置く必要が無く、壁からぶら下げる構成でも良い。また、大量に有機質廃棄物の被処理材５１を処理する場合は、第二袋体４１を大きくして内部容積を確保しながら、第二袋体４１の生地を丈夫な物にしてクレーンや各種重機で上下逆転して攪拌するようにしても良い。
【０１１５】
実施の形態１と４は、収納容器４や第二収納容器９０が回転するため、有機質廃棄物処理装置３０や有機質廃棄物処理装置８０の事故防止のためや、防水や保温のためにも装置全体を覆うカバー（図示せず）をシャツター等で開閉できるようにしても良い。また、シャッターの材質は耐食性の合金属やプラスチック等でも良い。なお、防水布などでテント状にしても良いし、自動で開閉できる構成にしても良い。
【０１１６】
実施の形態１と４は、収納容器４や第二収納容器９０が回転するため、収納容器４や第二収納容器９０が大きくなった場合は、袋体１ａの装入排出口１ｂや第二袋体８１の装入排出口８２も大きくなるため簡単に被処理材１０や被処理材１１０を装入し難くなるため、装入排出口１ｂと装入排出口８２の一部分に新しく小さな装入排出口（図示せず）を新設する構成にしても良い。
【０１１７】
実施の形態１〜４の培養材９、５０、７８、１０９と被処理材１０１５１、７９、１１０の発酵を安定して活性化させるために、粘り気のある被処理材１０、５１、７９、１１０の場合は、通気性が少ないため空気供給をする換気のための換気扇（図示せず）を取り付けたり、水分含有量の少ない被処理材１０、５１、７９、１１０の場合は水分補給のための散水装置（図示せず）を取り付けたりする構成にしても良い。
【０１１８】
実施の形態１、４の有機質廃棄物処理装置３０あるいは第四有機質廃棄物処理装置８０と、実施の形態２の第二有機質廃棄物処理装置４０と、実施の形態３の第三有機質廃棄物処理装置６０とを組み合わして有機質廃棄物の被処理材１０、５１、７９、１１０を処理する方法について説明する。先ず、有機質廃棄物処理装置３０あるいは第四有機質廃棄物処理装置８０で袋体１ａあるいは第二袋体８１に外部から培養材９、１０９を初期装入する。次に、この培養材９、１０９に穀物起源の実、果皮、種皮、内胚乳、外胚乳などを粉状にした粉体（図示せず）と有機質廃棄物の被処理材１０、１１０を繰り返して入れる事により、有機質廃棄物処理装置３０あるいは第四有機質廃棄物処理装置８０の中で粉体と被処理材１０、１１０に耐熱性菌等の細菌が担持された新たな培養材が出来る。次ぎに第二有機質廃棄物処理装置４０の中に、この新たな培養材を装入する事により第二有機質廃棄物処理装置４０の中で培養材５０となる。この培養材５０に一定期間、一日の処理能力規定量以内で被処理材５１を装入して処理をする。次ぎに第二有機質廃棄物処理装置４０で一定期間処理された被処理材５１と培養材５０が混合された物を、第二有機質廃棄物処理装置４０から第三有機質廃棄物処理装置６０に装入する。第三有機質廃棄物処理装置６０に装入された被処理材５１と培養材５０は、第三有機質廃棄物処理装置６０の中で被処理材７９と培養材７８となり、継続して発酵しながら熟成してやがて取り出すときには発酵熟成肥料となる。以上のように有機質廃棄物の処理装置の組み合わせで有機質廃棄物を処理する方法でも良い。
【０１１９】
【発明の効果】
この発明は、以上説明したように構成されているので、以下に記載されるような効果を奏する。
【０１２０】
本発明の有機質廃棄物の処理装置においては、通気性及び柔軟性を有する材料で袋状に形成され、培養材及び有機質廃棄物を収納する袋体と、この袋体が変形しないように保持する袋体保持部材と、袋体及び袋体保持部材を収納する収納容器と、培養材と有機質廃棄物の被処理材とが充分混合するように収納容器を回転させる回転手段とを備えるようにしたので、培養材と共に排出された被処理材は、培養材の糠等と共に微生物の連携が良く、肥料成分の窒素分や有機質のエネルギーのロスがなく、病気に強く、栄養豊富な作物作りに効率の良い肥料となる。
【０１２１】
また、収納容器は、内部に袋体及び袋体保持部材を収納したとき、袋体内に収納された培養材及び有機質廃棄物の被処理材が袋体外に漏れ出さないように、袋体の装入排出口の簡単な閉鎖手段を備えているので、装置の製作に費やす労力や経費、装置の維持管理の経費が少なくて良い。
【０１２２】
また、袋体に培養材及び有機質廃棄物の被処理材を収納する装入排出口を設け、この装入排出口を閉じて袋体を収納容器に収納したときに、収納容器に設けられた蓋により袋体の装入排出口の両端部すなわち、装入排出口補強部材の両端部を袋体の中に装入されている袋体保持部材の上側の両端部の上に置いて、収納容器に設けられた蓋と袋体保持部材の上側の両端部との間に袋体の装入排出口の両端部を挟んで固定して閉鎖出来るように構成したので、培養材や被処理材が外部に漏れ出さなくなるとともに、操作も簡単になる。
【０１２３】
また、袋体や収納容器に炭を混入したペンキを塗り消臭機能を持たせたので、臭いを軽減させることができ、室内での使用が可能である。
【０１２４】
また、培養材は、穀物起源の実、果皮、種皮、内胚乳、外胚乳などを粉状にした糠等の粉体に耐熱性菌等の細菌を主に担持させたので、原料である糠等は入手しやすく、安価で、実用的な物であるため、従来の耐熱性菌が活性化するための環境作りと比較すると、強制換気や温度維持や頻繁に断続的混合や水分補給などという条件が必要ない部分もあり、また必要でも外気温が氷点下になった場合の暖房程度の簡易さで良く、有機質廃棄物の分解処理能力も劣らずに、省エネルギーとなる。
【０１２５】
また、袋体に初期装入した培養材に穀物起源の実、果皮、種皮、内胚乳、外胚乳などを粉状にした粉体と有機質廃棄物の被処理材を繰り返して入れる事により、粉体に耐熱性菌等の細菌を主に担持した新たな培養材を繰り返して作ることが出来るようにしたので、連続的に培養材を作ることが出来る点に置いて大変簡単で便利である。
【０１２６】
また、本発明に係る有機質廃棄物の処理装置においては、通気性及び柔軟性を有して微生物に分解され難い有機質または無機質の材質で作られた紙で袋状の形成するか、または織布で袋状の形成するか、または不織布で袋状に形成して培養材及び有機質廃棄物の被処理材を収納する第二袋体を備えるようにしたので、粉のような微細なものから水分が多い物まであらゆる種類の有機質廃棄物の被処理材に対して第二袋体の材質を選ぶ事により、第二袋体から漏れることなくに対応して発酵処理でき、また、発酵の過程でも保温機能を持たせながら空気が供給できて、さらに発生する水蒸気を第二袋体から排出できる。
【０１２７】
また、第二袋体の中に、通気性及び柔軟性を有して微生物に分解され難い有機質または無機質の材質で作られた紙で袋状に形成するか、または織布で袋状に形成するか、または不織布で袋状に形成して培養材及び被処理材を収納する中袋を備えるようにしたので、漏れやすい臭いや重量のある有機質廃棄物に対しても状況に応じて中袋の材質を変えたり、中袋を多重に重ねることにより、保温、防臭及び耐久力のある中袋を備えた第二袋体として対応できる。また、中袋と一緒に被処理材の取り出しや取り替えが簡単にできる。
【０１２８】
また、第二袋体が変形しないように保持する第二袋体保持部材を備えるようにしたので、第二袋体の中の空間が確実に確保できるため、第二袋体の中で有機質廃棄物の攪拌がより充分にできて、それにより被処理材の発酵効率がよくなり処理能力が上がる。
【０１２９】
また、培養材と被処理材を第二袋体の中で保温しながら粉砕する保温粉砕手段を備えるようにしたので、有機質廃棄物の被処理材を入れても第二袋体の内部温度が低下せず、有機質廃棄物も小さく砕かれて発酵効率が良くなり処理能力が上がる。
【０１３０】
また、第二袋体に培養材及び被処理材を装入排出する装入排出口を設け、この装入排出口またはこの装入排出口と第二袋体の側面を空気及び水蒸気は通すが水をはじく材料で覆いをする第二袋体カバーを備えるようにしたので、雨や風があたる屋外での使用も可能になる。
【０１３１】
また、第二袋体または第二袋体と第二袋体保持部材を収納する第二収納容器を設け、この第二収納容器は、貫通孔で通気性を有して微生物に分解され難い有機質または無機質の材質で形成され、複数の貫通孔を備えるようにしたので、有機質廃棄物の発酵時に発生する水蒸気の放出と空気の供給がスムーズに行うことが出来るため、より効率の良い処理能力を持つようになる。
【０１３２】
また、第二収納容器に第二袋体を保温または、加熱する保温加熱手段を備えるようにしたので、平均外気温が１０℃以下になっても有機質廃棄物の発酵処理能力を確実に確保できる。
【０１３３】
また、第二袋体に培養材と被処理材を装入し、第二袋体を変形させる手段または第二袋体を上下逆転させる攪拌手段とを備え、第二袋体を変形させた時または第二袋体を上下逆転させた時、培養材と被処理材が攪拌されるようにしたので、培養材を第二袋体に初期装入してあれば被処理材を装入するたびに毎回培養材を装入する必要が無く発酵処理ができるため、培養材の節約と発酵の維持ができる。
【０１３４】
また、第二袋体と、第二袋体を収納する第二収納容器と、第二収納容器に第二袋体を出し入れする袋体装入排出口と、袋体装入排出口に蓋を設け、培養材と被処理材とが充分攪拌するように第二収納容器を回転させる回転手段とを備えるようにしたので、多量の培養材と被処理材を短時間で小さな力で簡単に攪拌できる。また、多量の培養材と被処理材が攪拌できると被処理材の処理能力が上がるだけでなく、安定した発酵をする。
【０１３５】
また、第二収納容器が逆転しないように逆転防止手段を備えるようにしたので、逆転を確実に防止することにより、第二処理容器の逆転から来る事故防止とモーターやエンジンなどの動力で有機質廃棄物の処理装置を制御することが簡単である。
【図面の簡単な説明】
【図１】この発明の実施の形態１を示す有機質廃棄物の処理装置の一部を破断した正面断面図である。
【図２】図１のＡ−Ａ線に沿う断面図である。
【図３】この発明の実施の形態１を示す有機質廃棄物の処理装置の斜視図である。
【図４】この発明の袋体の袋体保持部材を示す斜視図である。
【図５】この発明の袋体の中に袋体保持部材を装入した状態で袋体の装入排出口が、開いている状態を示す斜視図である。
【図６】この発明の袋体の中に袋体保持部材を装入した状態で袋体の装入排出口が、閉まって折り曲げられる直前の状態を示す斜視図である。
【図７】この発明の袋体の中に袋体保持部材を装入した状態で袋体の装入排出口が、閉まって折り曲げられた後の状態を示す部分透視した斜視図である。
【図８】この発明の収納容器に収納された袋体の装入排出口が、折り曲げられる直前の状態を示す部分斜視図である。
【図９】この発明の収納容器に収納された袋体の装入排出口が、折り曲げられた後の状態を示す部分斜視図である。
【図１０】この発明の実施の形態２を示す有機質廃棄物処理装置の断面図である。
【図１１】この発明の実施の形態２を示す有機質廃棄物処理装置の第二袋体の斜視図である。
【図１２】この発明の実施の形態３を示す有機質廃棄物処理装置の正面断面図である。
【図１３】この発明の実施の形態３を示す有機質廃棄物処理装置の一部を破断した斜視図である。
【図１４】この発明の通気用部材の格子状を示す平面図である。
【図１５】この発明の実施の形態４を示す有機質廃棄物処理装置の正面断面図である。
【図１６】この発明の実施の形態４を示す有機質廃棄物処理装置の側面断面図である。
【図１７】この発明の実施の形態４を示す有機質廃棄物処理装置のギア部分の断面図である。
【符号の説明】
１ａ　袋体、１ｂ　装入排出口、２　装入排出口補強部材、３　袋体保持部材、
３ａ　端部、３ｂ　端部、４　収納容器、４ａ　蓋、４ｂ　装入排出口、
４ｃ　端部、４ｄ　端部、４ｅ　ベアリング、４ｆ　軸、５　取っ手、
６　ストッパー、７　脚部、７ａ　軸受け、８　雨よけカバー、８ａ　シート、
８ｂ　骨組み部材、８ｃ　引っ掛け金具、８ｄ　カバーフック、９　培養材、
１０　被処理材、２０　処理容器、３０　有機質廃棄物処理装置
４０　第二有機質廃棄物処理装置、４１　第二袋体、４２　装入排出口、
４３　装入排出口補強部材、４４　第一取っ手、４５　第二取っ手、
４６　下部取っ手、４７　中袋、４８　第二袋体カバー、４９　置き台、
５０　培養材、５１　被処理材、
６０　第三有機質廃棄物処理装置、　６１　第二袋体、６２　装入排出口、
６３　第二袋体フック紐、６４　中袋、６５　第二袋体保持部材、
６６　ヒーター、６７　コントローラー、６８　内部保温材、６９　通気用部材、
７０　第二収納容器、　７１　第二袋体装入排出口、７２　引っ掛けバー、
７３　貫通孔、７４　外部保温材、７５　外部保温材保持部材、
７６　第二袋体カバー、７７　第二袋体カバー取っ手、７８　培養材、
７９　被処理材、
８０　第四有機質廃棄物処理装置、８１　第二袋体、８２　装入排出口、
８３　装入排出口補強部材、８４　第二袋体フック紐、８５　中袋、
８６　ヒーター、８７　コントローラー、８８　内部保温材、８９　通気用部材、
９０　第二収納容器、９１　第二袋体装入排出口、９２　蓋、９３　回転軸、
９４　引っ掛けバー、９５　第二袋体フック、９６　貫通孔、９７　取っ手、
９８　外部保温材、９９　外部保温材保持部材、１００　ストッパー、
１００ａ　丸棒、１０１　ストッパー穴、１０２　脚部、１０３　軸受け、
１０４　ギア、１０５　ツメ、１０６　プラグ、１０７　回転コンセント、
１０８　粉砕保温体、１０９　培養材、１１０　被処理材、
１１１　保温防水カバー、１１２　保温防水カバー取っ手、
【図１】
2004141847.tif 000003
【図２】
2004141847.tif 000004
【図３】
2004141847.tif 000005
【図４】
2004141847.tif 000006
【図５】
2004141847.tif 000007
【図６】
2004141847.tif 000008
【図７】
2004141847.tif 000009
【図８】
2004141847.tif 000010
【図９】
2004141847.tif 000011
【図１０】
2004141847.tif 000012
【図１１】
2004141847.tif 000013
【図１２】
2004141847.tif 000014
【図１３】
2004141847.tif 000015
【図１４】
2004141847.tif 000016
【図１５】
2004141847.tif 000017
【図１６】
2004141847.tif 000018
【図１７】
2004141847.tif 000019
【手続補正書】
【提出日】平成15年7月22日(2003.7.22)
【手続補正１】
【補正対象書類名】明細書
【補正対象項目名】特許請求の範囲
【補正方法】変更
【補正の内容】
【特許請求の範囲】
【請求項１】
通気性及び柔軟性を有する材料で袋状に形成され、培養材及び有機質廃棄物の被処理材を収納する袋体と、上記袋体を収納する収納容器と、上記培養材と上記有機質廃棄物の被処理材とが充分混合するように上記収納容器を回転させる回転手段とを設けたことを特徴とする有機質廃棄物の処理装置。
【請求項２】
上記収納容器に上記袋体が変形しないように保持する袋体保持部材を設けたことを特徴とする請求項１に記載の有機質廃棄物の処理装置。
【請求項３】
上記収納容器は、内部に上記袋体または上記袋体及び上記袋体保持部材を収納したとき、上記袋体内に収納された上記培養材及び上記有機質廃棄物の被処理材が上記袋体外に漏れ出さないように、上記袋体の装入排出口を閉鎖する閉鎖手段を設けたことを特徴とする請求項１または２のいずれか一項に記載の有機質廃棄物の処理装置。
【請求項４】
上記袋体に上記培養材及び上記有機質廃棄物の被処理材を収納する装入排出口を設け、この装入排出口を折り曲げて閉じて上記袋体を上記収納容器に収納したときに、上記袋体の折り曲げられた装入排出口が上記収納容器に設けられた蓋に押し当てられて密封されるように構成したことを特徴とする請求項１〜３のいずれか一項に記載の有機質廃棄物の処理装置。
【請求項５】
上記袋体は、通気性及び柔軟性を有して微生物に分解され難い有機質または無機質の材質で作られた紙で袋状に形成するか、または通気性及び柔軟性を有して微生物に分解され難い有機質または無機質の材質で作られた織布で袋状の形成するか、または通気性及び柔軟性を有して微生物に分解され難い有機質または無機質の材質で作られた不織布で袋状に形成してあり、上記培養材及び上記有機質廃棄物の被処理材が収納できることを特徴とする請求項１〜４のいずれか一項に記載の有機質廃棄物の処理装置。
【請求項６】
上記袋体の中に設けた中袋は、通気性及び柔軟性を有して微生物に分解され難い有機質または無機質の材質で作られた紙で袋状に形成するか、または通気性及び柔軟性を有して微生物に分解され難い有機質または無機質の材質で作られた織布で袋状に形成するか、または通気性及び柔軟性を有して微生物に分解され難い有機質または無機質の材質で作られた不織布で袋状に形成してあり、上記培養材及び上記有機質廃棄物の被処理材が収納できることを特徴とする請求項１〜５のいずれか一項に記載の有機質廃棄物の処理装置。
【請求項７】
上記培養材は、穀物起源の実、果皮、種皮、内胚乳、外胚乳などを粉状にした粉体に耐熱性菌等の細菌を主に担持したものであることを特徴とする請求項１〜６のいずれか一項に記載の有機質廃棄物の処理装置。
【請求項８】
上記袋体の内部に、上記培養材と上記被処理材を保温しながら粉砕する保温粉砕手段を設けたことを特徴とする請求項１〜７のいずれか一項に記載の有機質廃棄物の処理装置。
【請求項９】
上記袋体の装入排出口及び側面を、空気及び水蒸気は通すが水をはじく材料で覆いをする袋体カバーを設けたこと、または上記収納容器の蓋と側面を、空気及び水蒸気は通すが水をはじく材料で覆いをする収納容器カバーを設けたことを特徴とする請求項１〜８のいずれか一項に記載の有機質廃棄物の処理装置。
【請求項１０】
上記収納容器は、貫通孔で通気性を有して微生物に分解され難い有機質または無機質の材質で形成され、複数の貫通孔を設けたことを特徴とする請求項１〜９のいずれか一項に記載の有機質廃棄物の処理装置。
【請求項１１】
上記収納容器に、上記袋体を保温または加熱する保温加熱手段を設けたことを特徴とする請求項１〜１０のいずれか一項に記載の有機質廃棄物の処理装置。
【請求項１２】
上記収納容器が逆回転しないように逆回転防止手段を設けたことを特徴とする請求項１〜１１のいずれか一項に記載の有機質廃棄物の処理装置。
【請求項１３】
上記袋体に上記培養材と上記被処理材を装入し、上記袋体を変形させる手段または上記袋体を上下逆転させる攪拌手段とを備え、上記袋体を変形させた時または上記袋体を上下逆転させた時、上記培養材と上記被処理材が攪拌されるようにした処理容器を有することを特徴とする請求項５〜１１のいずれか一項に記載の有機質廃棄物の処理装置。
【請求項１４】
請求項１〜１３に記載された有機質廃棄物の処理装置を用い、上記袋体に初期装入した上記培養材に穀物起源の実、果皮、種皮、内胚乳、外胚乳などを粉状にした粉体と上記有機質廃棄物の被処理材を繰り返して入れる事により、上記粉体に耐熱性菌等の細菌を主に担持した新たな培養材を繰り返して作ることが出来ることを特徴とする有機質廃棄物の処理方法。
【手続補正２】
【補正対象書類名】明細書
【補正対象項目名】００１２
【補正方法】変更
【補正の内容】
【００１２】
【課題を解決するための手段】
本発明に係る有機質廃棄物の処理装置においては、通気性及び柔軟性を有する材料で袋状に形成され、培養材及び有機質廃棄物の被処理材を収納する袋体と、袋体を収納する収納容器と、培養材と有機質廃棄物の被処理材とが充分混合するように収納容器を回転させる回転手段とを設けたものである。


【手続補正３】
【補正対象書類名】明細書
【補正対象項目名】００１３
【補正方法】変更
【補正の内容】
【００１３】
また、収納容器に袋体が変形しないように保持する袋体保持部材を設けたものである。


【手続補正４】
【補正対象書類名】明細書
【補正対象項目名】００１４
【補正方法】変更
【補正の内容】
【００１４】
また、収納容器は、内部に袋体または袋体及び袋体保持部材を収納したとき、袋体内に収納された培養材及び有機質廃棄物の被処理材が袋体外に漏れ出さないように、袋体の装入排出口を閉鎖する閉鎖手段を設けたものである。


【手続補正５】
【補正対象書類名】明細書
【補正対象項目名】００１５
【補正方法】変更
【補正の内容】
【００１５】
また、袋体に培養材及び有機質廃棄物の被処理材を収納する装入排出口を設け、この装入排出口を折り曲げて閉じて袋体を収納容器に収納したときに、袋体の折り曲げられた装入排出口が収納容器に設けられた蓋に押し当てられて密封されるように構成したものである。


【手続補正６】
【補正対象書類名】明細書
【補正対象項目名】００１６
【補正方法】変更
【補正の内容】
【００１６】
また、袋体は、通気性及び柔軟性を有して微生物に分解され難い有機質または無機質の材質で作られた紙で袋状に形成するか、または通気性及び柔軟性を有して微生物に分解され難い有機質または無機質の材質で作られた織布で袋状の形成するか、または通気性及び柔軟性を有して微生物に分解され難い有機質または無機質の材質で作られた不織布で袋状に形成してあり、培養材及び有機質廃棄物の被処理材が収納できるものである。


【手続補正７】
【補正対象書類名】明細書
【補正対象項目名】００１７
【補正方法】変更
【補正の内容】
【００１７】
また、袋体の中に設けた中袋は、通気性及び柔軟性を有して微生物に分解され難い有機質または無機質の材質で作られた紙で袋状に形成するか、または通気性及び柔軟性を有して微生物に分解され難い有機質または無機質の材質で作られた織布で袋状に形成するか、または通気性及び柔軟性を有して微生物に分解され難い有機質または無機質の材質で作られた不織布で袋状に形成してあり、培養材及び有機質廃棄物の被処理材が収納できるものである。


【手続補正８】
【補正対象書類名】明細書
【補正対象項目名】００１８
【補正方法】変更
【補正の内容】
【００１８】
また、培養材は、穀物起源の実、果皮、種皮、内胚乳、外胚乳などを粉状にした粉体に耐熱性菌等の細菌を主に担持したものである。


【手続補正９】
【補正対象書類名】明細書
【補正対象項目名】００１９
【補正方法】変更
【補正の内容】
【００１９】
また、袋体の内部に、培養材と被処理材を保温しながら粉砕する保温粉砕手段を設けたものである。


【手続補正１０】
【補正対象書類名】明細書
【補正対象項目名】００２０
【補正方法】変更
【補正の内容】
【００２０】
また、袋体の装入排出口及び側面を、空気及び水蒸気は通すが水をはじく材料で覆いをする袋体カバーを備えたこと、または収納容器の蓋と側面を、空気及び水蒸気は通すが水をはじく材料で覆いをする収納容器カバーを設けたものである。


【手続補正１１】
【補正対象書類名】明細書
【補正対象項目名】００２１
【補正方法】変更
【補正の内容】
【００２１】
また、収納容器は、貫通孔で通気性を有して微生物に分解され難い有機質または無機質の材質で形成され、複数の貫通孔を設けたものである。


【手続補正１２】
【補正対象書類名】明細書
【補正対象項目名】００２２
【補正方法】変更
【補正の内容】
【００２２】
また、収納容器に、袋体を保温または加熱する保温加熱手段を設けたものである。


【手続補正１３】
【補正対象書類名】明細書
【補正対象項目名】００２３
【補正方法】変更
【補正の内容】
【００２３】
また、収納容器が逆回転しないように逆回転防止手段を設けたものである。


【手続補正１４】
【補正対象書類名】明細書
【補正対象項目名】００２４
【補正方法】変更
【補正の内容】
【００２４】
また、袋体に培養材と被処理材を装入し、袋体を変形させる手段または袋体を上下逆転させる攪拌手段とを備え、袋体を変形させた時または袋体を上下逆転させた時、培養材と被処理材が攪拌されるようにした処理容器を有するものである。


【手続補正１５】
【補正対象書類名】明細書
【補正対象項目名】００２５
【補正方法】変更
【補正の内容】
【００２５】
本発明による有機質廃棄物の処理方法においては、請求項１〜１３に記載された有機質廃棄物の処理装置を用い、袋体に初期装入した培養材に穀物起源の実、果皮、種皮、内胚乳、外胚乳などを粉状にした粉体と有機質廃棄物の被処理材を繰り返して入れる事により、粉体に耐熱性菌等の細菌を主に担持した新たな培養材を繰り返して作ることが出来る方法である。


【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】